(57)【要約】【課題】リンクシャフトのガタつきを防止して、リンクシャフトと操作リブを介して接している操作ノブにガタつきが生じることのないシーソースイッチを提供する。【解決手段】一対のスイッチ素子１２ａ，１２ｂの可動端子部１２ｃが常にリンクシャフト１３ａ，１３ｂの端面に付勢された状態で当接しているシーソースイッチ１において、リンクシャフト１３ａ，１３ｂをガイド孔２ｄに挿通してガイドするガイド部２ｂ，２ｃを有し、リンクシャフト１３ａ，１３ｂの操作リブ３ａ，３ｂ側の外周面が細くなるようなテーパ状に形成するとともに、ガイド孔２ｄの内周面を、リンクシャフト１３ａ，１３ｂの外周面のテーパに対応させたテーパ状に形成する。【選択図】図３
2008135282.tif 000002
【特許請求の範囲】
【請求項１】
基板上に設けた一対のスイッチ素子と、揺動軸を中心にして第１方向及び第２方向に揺動自在に支持された操作ノブと、前記一対のスイッチ素子の可動端子部と前記操作ノブに一体的に形成された押圧部との間にそれぞれ介在され、前記操作ノブの前記第１方向又は第２方向への揺動操作に対応して前記一対のスイッチ素子の選択した一方のスイッチ素子の前記可動端子部を押圧してオン動作させる押圧力伝達材とを備え、前記スイッチ素子の前記可動端子部が常に前記押圧力伝達材の一端面に付勢された状態で当接しているシーソースイッチにおいて、
前記押圧力伝達材をガイド孔に挿通してガイドするガイド部材を有し、前記押圧力伝達材を、その他端面が接する前記押圧部側の外周面が細くなるようなテーパ状に形成するとともに、前記ガイド部材のガイド孔の内周面を、前記押圧力伝達材の外周面のテーパに対応させたテーパ状に形成する、
ことを特徴とするシーソースイッチ。
【請求項２】
前記操作ノブが前記第１方向又は第２方向へ揺動操作されていないときには、前記可動端子部に付与される付勢力により前記押圧力伝達材の外周面が前記ガイド孔の内周面に押し付けられて密接している、
ことを特徴とする請求項１に記載のシーソースイッチ。
【発明の詳細な説明】
【技術分野】
【０００１】
本発明は、操作ノブの第１方向又は第２方向への揺動操作に対応して一対のスイッチ素子の選択した一方のスイッチ素子をオン動作させるシーソースイッチに関する。
【背景技術】
【０００２】
２つ以上の操作状態の択一的選択が容易であるシーソースイッチは、例えば車両用空調装置の空調パネル等に配置される入力操作部として広く用いられている（例えば、特許文献１参照）。
【０００３】
前記特許文献１のようなシーソースイッチでは、揺動軸を中心に揺動自在な操作ノブの左右側（もしくは上下側）のいずれか一方側を押圧することにより操作ノブが揺動し、操作ノブの揺動に伴ってその裏面に形成された一方側の操作リブが、当接する一方側のリンクシャフトを移動させる。これにより、移動したリンクシャフトの先端側がスイッチ素子（タクトスイッチ）を押圧して、スイッチ素子の接点がＯＮされる。
【０００４】
リンクシャフトは、円筒状のガイド内に移動自在に挿通されており、スイッチ素子を垂直に押圧するようにしている。また、操作ボタン表面には所定の絵文字等が形成されており、夜間等においては内部に配置したＬＥＤからの光によって操作ボタン表面の絵文字等を背面側から透過照明するように構成されている。
【特許文献１】特開２００４−１４６１２８号公報
【発明の開示】
【発明が解決しようとする課題】
【０００５】
ところで、前記特許文献１のようなシーソースイッチでは、スイッチ素子を押圧するリンクシャフトがガイド内を円滑に移動するように、リンクシャフトの外周面とガイドの内周面との間に所定の隙間（クリアランス）が設けられている。
【０００６】
しかしながら、リンクシャフトやガイドの製造時における寸法公差等によって、リンクシャフトとガイドとの間の隙間が所定値よりも大きい場合には、リンクシャフトにガタつきが生じる。このため、リンクシャフトと操作リブを介して接している操作ノブにもガタつきが生じ易くなる不具合が発生する
【０００７】
そこで、本発明は、リンクシャフトのガタつきを防止して、リンクシャフトと操作リブを介して接している操作ノブにガタつきが生じることのないシーソースイッチを提供することを目的とする。
【課題を解決するための手段】
【０００８】
前記目的を達成するために請求項１に係る本発明は、基板上に設けた一対のスイッチ素子と、揺動軸を中心にして第１方向及び第２方向に揺動自在に支持された操作ノブと、前記一対のスイッチ素子の可動端子部と前記操作ノブに一体的に形成された押圧部との間にそれぞれ介在され、前記操作ノブの前記第１方向又は第２方向への揺動操作に対応して前記一対のスイッチ素子の選択した一方のスイッチ素子の前記可動端子部を押圧してオン動作させる押圧力伝達材とを備え、前記スイッチ素子の前記可動端子部が常に前記押圧力伝達材の一端面に付勢された状態で当接しているシーソースイッチにおいて、前記押圧力伝達材をガイド孔に挿通してガイドするガイド部材を有し、前記押圧力伝達材を、その他端面が接する前記押圧部側の外周面が細くなるようなテーパ状に形成するとともに、前記ガイド部材のガイド孔の内周面を、前記押圧力伝達材の外周面のテーパに対応させたテーパ状に形成することを特徴としている。
【０００９】
また、請求項２に係る本発明は、前記操作ノブが前記第１方向又は第２方向へ揺動操作されていないときには、前記可動端子部に付与される付勢力により前記押圧力伝達材の外周面が前記ガイド孔の内周面に押し付けられて密接していることを特徴としている。
【発明の効果】
【００１０】
本発明に係るシーソースイッチによれば、押圧力伝達材の押圧部側の外周面が細くなるようなテーパ状に形成するとともに、ガイド部材のガイド孔の内周面を押圧力伝達材の外周面のテーパに対応させたテーパ状に形成することにより、操作ノブが第１方向又は第２方向へ揺動操作されていないときには、可動端子部に付与される付勢力により押圧力伝達材の外周面がガイド孔の内周面に隙間なく密接することにより、押圧力伝達材にガタつきが発生することを防止することができる。
【発明を実施するための最良の形態】
【００１１】
以下、本発明を図示の実施形態に基づいて説明する。図１は、本発明の実施形態に係るシーソースイッチを示す概略正面図、図２は、本発明の実施形態に係るシーソースイッチを示す側面図、図３は、図１のＡ−Ａ線断面図である。
【００１２】
これらの図に示すように、本発明の実施形態に係るシーソースイッチ１は、側面ケース部材２の前面側に２個の半円状の操作ノブ３、４を有しており、各操作ノブ３、４は図１の上下側に揺動自在に支持されている。側面ケース部材２の下部には底面ケース部材５が固着されている。
【００１３】
なお、本実施形態におけるシーソースイッチ１は、車両用空調装置の空調パネル（不図示）に配置され、操作ノブ３はブロワファンの回転モードを切替え操作するノブであり、操作ノブ３の上側を押圧操作した場合はブロワファンの回転が上昇し、操作ノブ３の下側を押圧操作した場合はブロワファンの回転が低下するように設定されている。また、操作ノブ４の上側を押圧操作した場合はデフロスター（ＤＥＦ）がＯＦＦされ、操作ノブ４の下側を押圧操作した場合はデフロスター（ＤＥＦ）がＯＮするように設定されている。
【００１４】
操作ノブ３、４は、図４に示すように、ケース部材２の前面開口部２ａには中央の仕切り板６を挟んでそれぞれ対向するように一対の揺動軸７、８（各一対の揺動軸７、８の他方側は不図示）が形成されており、各一対の揺動軸７、８に操作ノブ３、４がそれぞれ揺動自在に支持される。
【００１５】
操作ノブ３の表面には、ブロワファンとそれぞれ外側を向いた各矢印を表す絵文字９ａ，９ｂ，９ｃが印刷によって形成されており、操作ノブ４の表面には、デフロスターを表す絵文字９ｄと“ＭＯＤＥ”と表記した英数文字９ｅが印刷によって形成されている。なお、操作ノブ３、４の表面は、絵文字９ａ〜９ｄと英数文字９ｅの部分だけが光を透過可能なように印刷が施されている。なお、シーソースイッチ１の操作ノブ３、４に対応する背面側はそれぞれ略同様に構成されているので、以下の説明では操作ノブ３に対応する部分について説明する（操作ノブ４に対応する部分も略同様である）。
【００１６】
図３に示すように、操作ノブ３の外周背面側には、操作リブ３ａ，３ｂが一体に形成されている。操作リブ３ａ，３ｂは、操作ノブ３の半円弧状の外周面に沿って一体に形成されており、図３の上側を操作リブ３ａとし、下側を操作リブ３ｂとする。
【００１７】
底面ケース部材５内の上面には、操作ノブ３、４の背面側と対向するようにして基板１０が固定されている。基板１０上には、操作ノブ３の絵文字９ａ，９ｂ，９ｃの位置付近に対応して設けた３個のＬＥＤ（発光ダイオード）１１ａ，１１ｂ，１１ｃと、各操作リブ３ａ，３ｂの位置に対応して設けた一対のスイッチ素子１２ａ，１２ｂが配置されている。また、操作リブ３ａ，３ｂの端面とスイッチ素子１２ａ，１２ｂとの間には、円柱状のリンクシャフト１３ａ，１３ｂがそれぞれ配置されている。ＬＥＤ１１ａ，１１ｂ，１１ｃの発光により操作ノブ３の絵文字９ａ，９ｂ，９ｃを透過照明することができる。
【００１８】
リンクシャフト１３ａ，１３ｂの外周面は、その先端側（操作リブ３ａ，３ｂ側）が細くなるようなテーパ状に形成されており、リンクシャフト１３ａ，１３ｂは、ケース部材２内に一体に形成されたガイド部２ｂ，２ｃの各ガイド孔２ｄに挿通されている。ガイド部２ｂ，２ｃの各ガイド孔２ｄは、テーパ形状のリンクシャフト１３ａ，１３ｂが密接するようにタクトスイッチ１２ａ，１２ｂ側が大きくなるようなテーパ状に形成されている。これにより、操作ノブ３が押圧操作されていないとき（スイッチ素子１２ａ，１２ｂが両方ともＯＦＦのとき）においては、リンクシャフト１３ａ，１３ｂの外周面が各ガイド孔２ｄの内周面に隙間なく密着している（図３参照）。
【００１９】
スイッチ素子１２ａ，１２ｂは、上部の可動端子部１２ｃがリンクシャフト１３ａ，１３ｂにより押下力が付与されると、所定量だけ押し込まれたときにスイッチ接点がＯＮ状態となり、リンクシャフト１３ａ，１３ｂによる押下力が解除されると、付勢部材（不図示）による付勢力により可動端子部１２ｃは元の位置（図３に示す位置）に戻ってＯＦＦ状態となるように構成されている。
【００２０】
スイッチ素子１２ａ，１２ｂの可動端子部１２ｄは、付勢部材（不図示）により常に前方側（リンクシャフト１３ａ，１３ｂ側）に付勢されている。そして、本実施形態では、スイッチ素子１２ａ，１２ｂが図３に示すＯＦＦ状態のときは、リンクシャフト１３ａ，１３ｂがこの付勢力に抗して可動端子部１２ｃを少しだけ（例えば、０．４ｍｍ程度）押し込んだ状態となるように設定されており、リンクシャフト１３ａ，１３ｂに対して前方側（スイッチ素子１２ａ，１２ｂと反対側）に少しだけ付勢力を付与させている。
【００２１】
この際、ガイド部２ｂ，２ｃの各ガイド孔２ｄは、操作リブ３ａ，３ｂの径が小さくなるようなテーパ状に形成されているので、リンクシャフト１３ａ，１３ｂは各ガイド孔２ｄの内周面に押し付けられるようにして密接している。
【００２２】
本発明の実施形態に係るシーソースイッチ１は前記ように構成されており、図３に示したスイッチ素子１２ａ，１２ｂがＯＦＦ状態から、例えば操作ノブ３の上側（図１、図３の上側）を押圧操作すると、揺動軸７を中心にして時計周り方向に揺動し操作リブ３ａがリンクシャフト１３ａを押圧することにより、リンクシャフト１３ａがスイッチ素子１２ａ側に押し込まれる。この際、ガイド孔２ｄのスイッチ素子１２ａ側の径が大きくなるように形成されているので、リンクシャフト１３ａとガイド孔２ｄとの間に隙間ができることにより、引っ掛かり等が生じることなくリンクシャフト１３ａが円滑に移動することができる。
【００２３】
そして、リンクシャフト１３ａが可動端子部１２ｃを付勢部材（不図示）の付勢力に抗して所定量だけ押し込むと、スイッチ素子１２ａのスイッチ接点がＯＮ状態となる。なお、操作ノブ３の下側を押圧操作した場合も同様の動作によりスイッチ素子１２ｂがＯＮ状態となる。
【００２４】
そして、スイッチ素子１２ａをＯＦＦさせる場合は、操作ノブ３の上側の押圧操作を解除する。操作ノブ３の上側の押圧操作が解除されると、押し込まれていた可動端子１２ｃが付勢部材（不図示）の付勢力により元の位置まで移動することにより、リンクシャフト１３ａがガイド孔２ｄの操作リブ３ａ側の元の位置まで移動する。
【００２５】
この際、外周面がテーパ状のリンクシャフト１３ａは、ガイド孔２ｄのテーパ状の内周面に隙間なく密着することにより、リンクシャフト１３ａにガタつきが発生することを防止することができる。これにより、スイッチ素子１２ａがＯＦＦ時においては、リンクシャフト１３ａと操作リブ３ａを介して接している操作ノブ３にガタつきが生じることはない。
【００２６】
なお、操作ノブ３の下側を押圧操作してスイッチ素子１２ｂがＯＮ状態から操作ノブ３の下側の押圧操作を解除してスイッチ素子１２ａをＯＦＦ状態にさせた場合においても、同様にリンクシャフト１３ｂのガタつきが防止されることにより、リンクシャフト１３ａと操作リブ３ｂを介して接している操作ノブ３にガタつきが生じることはない．
【図面の簡単な説明】
【００２７】
【図１】本発明の実施形態に係るシーソースイッチを示す概略正面図。
【図２】本発明の実施形態に係るシーソースイッチを示す側面図。
【図３】図１のＡ−Ａ線断面図。
【図４】本発明の実施形態に係るシーソースイッチの操作ノブとケース部材を示す分解斜視図。
【符号の説明】
【００２８】
１        シーソースイッチ
２        側面ケース部材
２ｂ，２ｃ      ガイド部（ガイド部材）
２ｄ      ガイド孔
３、４        操作ノブ
３ａ，３ｂ    操作リブ（押圧部）
１０      基板
１１ａ，１１ｂ，１１ｃ      ＬＥＤ
１２ａ，１２ｂ      スイッチ素子
１３ａ，１３ｂ      リンクシャフト（押圧力伝達材）
【図１】
2008135282.tif 000003
【図２】
2008135282.tif 000004
【図３】
2008135282.tif 000005
【図４】
2008135282.tif 000006